(57)【特許請求の範囲】
【請求項１】
エレベータのかご出入口の床部下面から下方へ垂直方向に伸びた上部パネルと、上部パネルの下端部に垂直方向に伸びるように連結され、上部パネルに対してスライド可能な下部パネルとを備え、前記下部パネルの下端部が昇降路のピット底面と当たることで、下部パネルがスライド移動して全高が縮むように構成されたエレベータのエプロン装置において、
前記下部パネルの下端中央部に設けられ、他の部分よりも出っ張って昇降路のピット底面に当たる突き当たり部を備え、前記突き当たり部はかごの奥行き方向に向かって傾斜して伸びていることを特徴とするエレベータのエプロン装置。
【請求項２】
突き当たり部は、矩形状であることを特徴とする請求項１記載のエレベータのエプロン装置。
【請求項３】
突き当たり部は、円弧状であることを特徴とする請求項１記載のエレベータのエプロン装置。
【発明の詳細な説明】
【技術分野】
【０００１】
この発明は、エレベータのかご出入口の床部下面に設けられるエレベータのエプロン装置に関するものである。
【背景技術】
【０００２】
エレベータでは、エレベータのかごの着床誤差により生じるかご床と乗場床との間の空間を塞ぐために、かご出入口の床部下面に前垂れ状のエプロン装置が設けられている。
従来のエレベータのエプロン装置においては、かご出入口の床部下面から下方へ伸びた上部パネルと、上部パネルに連結され、上部パネルに対してスライド可能な下部パネルとを有している。上部パネルは、パネル本体部と、パネル本体部の幅方向端部に設けられ、かごの奥行き方向へ延びるパネル端面部とを有している。パネル端面部には、上下方向へ延びた長穴が設けられている。下部パネルには、長穴に挿入されたガイドボルトが取り付けられている。下部パネルは、ガイドボルトの長穴内での摺動により上部パネルに対してスライド可能になっている（例えば、特許文献１参照）。
【０００３】
【特許文献１】特開２００５−１４５６１０号公報
【発明の開示】
【発明が解決しようとする課題】
【０００４】
従来のエレベータのエプロン装置では、下部パネルの下端部が昇降路のピット底面と当たることで、下部パネルがスライド移動してエプロン装置の全高が縮むことになるので、昇降路内の空間を有効に利用することができる。しかしながら、エプロン装置のピット底面と当たる部分が、下部パネルの下端部全域と広く、ピット底面の傾き等によっては下部パネルの下端部中央部ではなく、中央から外れた端部が当たる可能性がある。このような場合、重心（中央）から遠い端部がピット底面と当たると、エプロン装置のスライド部に回転力が発生し、エプロン装置の上下方向の動きを阻害し、エプロン装置が破損に至る可能性があるという問題があった。
【０００５】
この発明は上記のような課題を解決するためになされたもので、下部パネルの下端中央部が昇降路のピット底面と当たるようにすることにより、エプロンスライド部に回転力が発生せず、エプロン装置の上下方向の動きを阻害しないエレベータのエプロン装置を提供するものである。
【課題を解決するための手段】
【０００６】
この発明に係るエレベータのエプロン装置は、エレベータのかご出入口の床部下面から下方へ垂直方向に伸びた上部パネルと、上部パネルの下端部に垂直方向に伸びるように連結され、上部パネルに対してスライド可能な下部パネルとを備え、下部パネルの下端部が昇降路のピット底面と当たることで、下部パネルがスライド移動して全高が縮むように構成されたものにおいて、下部パネルの下端中央部に設けられ、他の部分よりも出っ張って昇降路のピット底面に当たる突き当たり部を備え、突き当たり部はかごの奥行き方向に向かって傾斜して伸びているものである。
【発明の効果】
【０００７】
この発明によれば、上下方向に摺動するエプロン可動部である下部パネルの重心真下付近であるエプロン下端中央部で昇降路のピット底面に当たるので、スライド部分に回転力が発生せず、スムーズにエプロン可動部が上下方向に動くことができるという効果がある。また、突き当たり部はかごの奥行き方向に向かって傾斜して伸びているので、昇降路のピット底面に当たった場合の衝撃が緩和されるという効果がある。
【発明を実施するための最良の形態】
【０００８】
実施の形態１.
図１はこの発明の実施の形態１におけるエレベータのエプロン装置の伸長状態を示す正面図、図２はこの発明の実施の形態１におけるエレベータのエプロン装置の伸長状態を示す側面図、図３はこの発明の実施の形態１におけるエレベータのエプロン装置の短縮状態を示す正面図、図４はこの発明の実施の形態１におけるエレベータのエプロン装置の短縮状態を示す側面図である。
【０００９】
図において、１はエレベータのかご床、２は昇降路のピット底面、３はかご床１の出入口下面にボルト等で固定されて下方へ伸びたパネル装置である。３ａはこのパネル装置の上部パネルで、上下方向に動かないエプロン固定部を構成している。３ｂは上部パネル３ａの下端部に連結され、上部パネル３ａに対してスライド可能な下部パネルで、上下方向に動くエプロン可動部を構成している。上部パネル３ａは、水平断面がコ字状となるように金属板を折り曲げて製作され、かご床１の出入口から下方に延びる板状のパネル本体部３ｃと、パネル本体部３ｃの幅方向端部にそれぞれ設けられ、かごの奥行き方向へ延びる左右一対のパネル端面部３ｄとを有している。パネル本体部３ｃは、かご出入口の幅方向に平行に配置されている。各パネル端面部３ｄは、パネル本体部３ｃの高さ方向全体に亘って設けられている。また、各パネル端面部３ｄには、上下方向に間隔を置いて２本のガイドボルト３ｅが取り付けられている。下部パネル３ｂは、パネル本体部３ｃに一部が重合された板状の正面部３ｆと、正面部３ｆの幅方向端部に設けられ、かごの奥行き方向へ延びる左右一対の端部延出部３ｇとを有している。正面部３ｆの幅は、パネル本体部３ｃの幅よりも大きくなっている。また、左右一対のパネル端面部３ｄは、各端部延出部３ｇの間に配置されている。各端部延出部３ｇには、上下方向に延びる案内手段である長穴３ｈが設けられている。そして、ガイドボルト３ｅが長穴３ｈ内を摺動することにより、下部パネル３ｂは長穴３ｈに沿って上下方向に案内される。なお、長穴３ｈの内面にガイドボルト３ｅの摺動を円滑にするための低摩擦材を設けてもよい。
この発明によるエプロン装置においては、エプロン可動部である下部パネル３ｂの正面部３ｆの下端中央部に、他の部分よりも出っ張った矩形状の突き当たり部３ｉを設けたものである。この突き当たり部３ｉは、下部パネル３ｂの正面部３ｆと一体でも良いし、別体の部品を取り付ける構造にしても良い。また、エプロン装置３の下部パネル３ｂと昇降路のピット底面２が当たった場合の衝撃を緩和するために、突き当たり部３ｉに緩衝材を取り付けても良い。
【００１０】
上記のように構成されたエレベータのエプロン装置によれば、上下方向に摺動するエプロン可動部である下部パネル３ｂの重心真下付近であるエプロン下端中央部で昇降路のピット底面２に当たるので、スライド部分に回転力が発生せず、スムーズにエプロン可動部が上下方向に動くことができる。
【００１１】
実施の形態２.
図５はこの発明の実施の形態２におけるエレベータのエプロン装置の要部構造を示す拡大図である。なお、実施の形態１と同一又は相当部分には同一符号を付して説明を省略する。
【００１２】
この実施の形態２においては、実施の形態１における矩形状の突き当たり部３ｉの代わりに円弧状の突き当たり部３ｊを設けたものである。この場合も、実施の形態１と同様の効果が得られることはもちろんである。
【図面の簡単な説明】
【００１３】
【図１】この発明の実施の形態１におけるエレベータのエプロン装置の伸長状態を示す正面図である。
【図２】この発明の実施の形態１におけるエレベータのエプロン装置の伸長状態を示す側面図である。
【図３】この発明の実施の形態１におけるエレベータのエプロン装置の短縮状態を示す正面図である。
【図４】この発明の実施の形態１におけるエレベータのエプロン装置の短縮状態を示す側面図である。
【図５】この発明の実施の形態２におけるエレベータのエプロン装置の要部構造を示す拡大図である。
【符号の説明】
【００１４】
１  かご床
２  昇降路のピット底面
３  エプロン装置
３ａ  上部パネル（エプロン固定部）
３ｂ  下部パネル（エプロン可動部）
３ｃ  パネル本体部
３ｄ  パネル端面部
３ｅ  ガイドボルト
３ｆ  正面部
３ｇ  端部延出部
３ｈ  長穴
３ｉ  矩形状の突き当たり部
３ｊ  円弧状の突き当たり部
【図１】
0004844132.tif 000002
【図２】
0004844132.tif 000003
【図３】
0004844132.tif 000004
【図４】
0004844132.tif 000005
【図５】
0004844132.tif 000006